【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
被検者に放射線を照射することで得られた動態画像データと、前記動態画像データに対して解析を行うことで得られる解析画像データとの少なくとも１つに画像処理を施す画像処理装置であって、
表示装置の性能を判別する表示装置情報判別手段と、
前記表示装置の性能に基づいて、前記動態画像データ及び前記解析画像データの少なくとも１つに施す画像処理方法を選択する処理方法選択手段と、
選択された画像処理方法で前記動態画像データ及び前記解析画像データの少なくとも１つに画像処理を施し、処理済み画像データを生成する画像処理手段と、
前記処理済み画像データに基づく画像データを前記表示装置へ出力する画像出力手段と、
を備えることを特徴とする画像処理装置。
【請求項２】
前記表示装置情報判別手段は、前記表示装置の性能として、モノクロ表示を行う表示装置とカラー表示を行う表示装置とを判別することを特徴とする請求項１に記載の画像処理装置。
【請求項３】
前記画像処理手段は、前記表示装置の性能としてモノクロ表示を行う表示装置と判別した場合、選択された画像処理方法で前記動態画像データに画像処理を施すことを特徴とする請求項２に記載の画像処理装置。
【請求項４】
前記画像データは、前記画像処理が施された前記動態画像データに、前記解析画像データを重畳した重畳画像データであることを特徴とする請求項３に記載の画像処理装置。
【請求項５】
前記画像処理手段は、前記表示装置の性能としてモノクロ表示を行う表示装置と判別した場合、選択された画像処理方法で前記動態画像データ及び前記解析画像データに画像処理を施すことを特徴とする請求項３に記載の画像処理装置。
【請求項６】
前記画像データは、前記画像処理が施された前記動態画像データに、前記画像処理が施された前記解析画像データを重畳した重畳画像データであることを特徴とする請求項５に記載の画像処理装置。
【請求項７】
前記動態画像データに施される画像処理は、前記動態画像データをぼかす処理、前記動態画像データを輪郭のみとする処理、前記動態画像データを非表示とする処理、前記動態画像データの輝度を下げる処理の少なくとも１つであることを特徴とする請求項１から６のいずれか一項に記載の画像処理装置。
【請求項８】
前記解析画像データに施される画像処理は、前記解析画像データを補間強調する処理、前記解析画像データのコントラストを上げる処理、前記解析画像データを密度で表示する処理の少なくとも１つであることを特徴とする請求項１から７のいずれか一項に記載の画像処理装置。
【請求項９】
読影環境を判別する環境情報判別手段を備え、
前記処理方法選択手段は、判別した読影環境及び前記表示装置の性能に基づいて、前記動態画像データ及び前記解析画像データの少なくとも１つに施す画像処理方法を選択することを特徴とする請求項１又は２に記載の画像処理装置。
【請求項１０】
前記表示装置情報判別手段は、前記表示装置の性能として、画面の解像度を判別することを特徴とする請求項１又は２に記載の画像処理装置。
【請求項１１】
被検者に放射線を照射することで得られた動態画像データを取得する画像取得手段と、
取得した前記動態画像データを解析して解析画像データを生成する画像解析手段と、
を備えることを特徴とする請求項１から１０のいずれか一項に記載の画像処理装置。
【請求項１２】
被検者に放射線を照射することで得られる動態画像データを生成可能な放射線画像撮影装置と、
請求項１から１１のいずれか一項に記載の画像処理装置と、
前記画像処理装置が出力した前記画像データに基づく画像を表示する表示装置と、を備えることを特徴とする放射線撮影システム。
【請求項１３】
被検者に放射線を照射することで得られた動態画像データ及び前記動態画像データに対して解析を行うことで得られる解析画像データの少なくとも１つに画像処理を施す画像処理プログラムであって、
コンピューターに、
表示装置の性能を判別する第１の処理と、
前記表示装置の性能に基づいて、前記動態画像データ及び前記解析画像データの少なくとも１つに施す画像処理方法を選択する第２の処理と、
選択された画像処理方法で前記動態画像データ及び前記解析画像データの少なくとも１つに画像処理を施す第３の処理と、
前記画像処理が施された前記動態画像データ及び前記画像処理が施された前記解析画像データの少なくとも１つに基づく画像データを表示装置へ出力する第４の処理と、
を実行させることを特徴とする画像処理プログラム。
【請求項１４】
前記第１の処理は、前記表示装置の性能として、モノクロ表示を行う表示装置とカラー表示を行う表示装置とを判別することを特徴とする請求項１３に記載の画像処理プログラム。
【請求項１５】
前記第３の処理は、前記表示装置の性能としてモノクロ表示を行う表示装置と判別した場合、選択された画像処理方法で前記動態画像データに画像処理を施すことを特徴とする請求項１４に記載の画像処理プログラム。
【請求項１６】
前記画像データは、前記画像処理が施された前記動態画像データに、前記解析画像データを重畳した重畳画像データであることを特徴とする請求項１５に記載の画像処理プログラム。
【請求項１７】
前記第３の処理は、前記表示装置の性能としてモノクロ表示を行う表示装置と判別した場合、選択された画像処理方法で前記動態画像データ及び前記解析画像データに画像処理を施すことを特徴とする請求項１５に記載の画像処理プログラム。
【請求項１８】
前記画像データは、前記画像処理が施された前記動態画像データに、前記画像処理が施された前記解析画像データを重畳した重畳画像データであることを特徴とする請求項１７に記載の画像処理プログラム。
【請求項１９】
前記動態画像データに施される画像処理は、前記動態画像データをぼかす処理、前記動態画像データを輪郭のみとする処理、前記動態画像データを非表示とする処理、前記動態画像データの輝度を下げる処理の少なくとも１つであることを特徴とする請求項１３〜１８のいずれか一項に記載の画像処理プログラム。
【請求項２０】
前記解析画像データに施される画像処理は、前記解析画像データを補間強調する処理、前記解析画像データのコントラストを上げる処理、前記解析画像データを密度で表示する処理の少なくとも１つであること、を特徴とする請求項１３〜１９のいずれか一項に記載の画像処理プログラム。
【請求項２１】
被検者に放射線を照射することで得られた動態画像データ及び前記動態画像データに対して解析を行うことで得られる解析画像データの少なくとも１つに画像処理を施す画像処理方法であって、
表示装置の性能を判別する第１の工程と、
前記表示装置の性能に基づいて、前記動態画像データ及び前記解析画像データの少なくとも１つに施す画像処理方法を選択する第２の工程と、
選択された画像処理方法で前記動態画像データ及び前記解析画像データの少なくとも１つに画像処理を施す第３の工程と、
前記画像処理が施された前記動態画像データ及び前記画像処理が施された前記解析画像データの少なくとも１つに基づく画像データを表示装置へ出力する第４の工程と、
を備えることを特徴とする画像処理方法。
【手続補正２】
【補正対象書類名】明細書
【補正対象項目名】発明の名称
【補正方法】変更
【補正の内容】
【発明の名称】画像処理装置、放射線撮影システム、画像処理プログラム及び画像処理方法
【手続補正３】
【補正対象書類名】明細書
【補正対象項目名】０００１
【補正方法】変更
【補正の内容】
【０００１】
本発明は、画像処理装置、放射線撮影システム、画像処理プログラム及び画像処理方法に関する。
【手続補正４】
【補正対象書類名】明細書
【補正対象項目名】０００７
【補正方法】変更
【補正の内容】
【０００７】
前記の問題を解決するために、本発明に係る画像処理装置は、
被検者に放射線を照射することで得られた動態画像データと、前記動態画像データに対して解析を行うことで得られる解析画像データとの少なくとも１つに画像処理を施す画像処理装置であって、
表示装置の性能を判別する表示装置情報判別手段と、
前記表示装置の性能に基づいて、前記動態画像データ及び前記解析画像データの少なくとも１つに施す画像処理方法を選択する処理方法選択手段と、
選択された画像処理方法で前記動態画像データ及び前記解析画像データの少なくとも１つに画像処理を施し、処理済み画像データを生成する画像処理手段と、
前記処理済み画像データに基づく画像データを前記表示装置へ出力する画像出力手段と、
を備えることを特徴とする。
また、本発明に係る画像処理プログラムは、
被検者に放射線を照射することで得られた動態画像データ及び前記動態画像データに対して解析を行うことで得られる解析画像データの少なくとも１つに画像処理を施す画像処理プログラムであって、
コンピューターに、
表示装置の性能を判別する第１の処理と、
前記表示装置の性能に基づいて、前記動態画像データ及び前記解析画像データの少なくとも１つに施す画像処理方法を選択する第２の処理と、
選択された画像処理方法で前記動態画像データ及び前記解析画像データの少なくとも１つに画像処理を施す第３の処理と、
前記画像処理が施された前記動態画像データ及び前記画像処理が施された前記解析画像データの少なくとも１つに基づく画像データを表示装置へ出力する第４の処理と、
を実行させることを特徴とする。
また、本発明に係る画像処理方法は、
被検者に放射線を照射することで得られた動態画像データ及び前記動態画像データに対して解析を行うことで得られる解析画像データの少なくとも１つに画像処理を施す画像処理方法であって、
表示装置の性能を判別する第１の工程と、
前記表示装置の性能に基づいて、前記動態画像データ及び前記解析画像データの少なくとも１つに施す画像処理方法を選択する第２の工程と、
選択された画像処理方法で前記動態画像データ及び前記解析画像データの少なくとも１つに画像処理を施す第３の工程と、
前記画像処理が施された前記動態画像データ及び前記画像処理が施された前記解析画像データの少なくとも１つに基づく画像データを表示装置へ出力する第４の工程と、
を備えることを特徴とする。